【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
血液凝固を分析するように構成されたシステムによって実行される方法であって、
凝固開始が検出された後に、血液を蓄えている第１のチャンバ内で第１の強磁性物体を動かすステップと、
前記第１のチャンバ内の前記第１の強磁性物体の動きを検出するステップと、
前記第１のチャンバ内の前記検出された前記第１の強磁性物体の動きを前記血液の凝固強度と相関付けるステップと、を含む、
ことを特徴とする方法。
【請求項２】
（ａ）血液を蓄えている第２のチャンバ内で第２の強磁性物体を動かすステップと、
（ｂ）前記第２のチャンバ内の前記第２の強磁性物体の動きを検出するステップと、
（ｃ）前記検出された前記第２の強磁性物体の動きが、凝固を示す閾値を満たすかどうかを判定するステップと、
（ｄ）前記検出された前記第２の強磁性物体の動きが、凝固開始を示す前記閾値を満たすまで、ステップ（ａ）〜（ｃ）を繰り返すステップと、をさらに含み、
凝固開始が検出された後に、血液を蓄える前記第１のチャンバ内で前記第１の強磁性物体を動かす前記ステップは、前記検出された前記第２の強磁性物体の動きが、凝固開始を示す前記閾値を満たした後に、前記第１の強磁性物体を動かすステップを含む、
請求項１に記載の方法。
【請求項３】
（ａ）前記第１のチャンバ内で前記強磁性物体を動かすステップと、
（ｂ）前記第１のチャンバ内の前記第１の強磁性物体の動きを検出するステップと、
（ｃ）前記検出された前記第１の強磁性物体の動きが、凝固を示す閾値を満たすかどうかを判定するステップと、
（ｄ）前記検出された前記第１の強磁性物体の動きが、凝固開始を示す前記閾値を満たすまで、ステップ（ａ）〜（ｃ）を繰り返すステップと、をさらに含み、
前記第１の物体は、凝固形成時に該凝固が前記物体の上部又は周囲に生じるように、付勢部材によって前記チャンバの底部に向かって付勢される、
請求項１に記載の方法。
【請求項４】
前記第１のチャンバ内で前記第１の物体を動かす前記ステップは、前記第１のチャンバ内で前記第１の物体を重力に抗して動かすステップを含み、前記第１のチャンバ内の前記第１の物体の動きを検出する前記ステップは、前記重力に起因する前記第１の物体の動きを検出するステップを含む、
請求項１に記載の方法。
【請求項５】
前記第１のチャンバ内で前記第１の物体を動かす前記ステップは、前記第１のチャンバ内で前記第１の物体を重力に抗して動かすステップを含み、前記第１のチャンバ内の前記物体の動きを検出する前記ステップは、前記重力に抗した前記第１の物体の動きを検出するステップを含む、
請求項１に記載の方法。
【請求項６】
前記第１のチャンバ内の前記第１の物体の動きを検出する前記ステップは、第１の期間中の動きを検出するステップと、第２の期間中の動きを検出するステップとを含み、
前記第１のチャンバ内の前記検出された前記第１の物体の動きを前記凝固強度と相関付ける前記ステップは、前記第１のチャンバ内の前記第１の物体の前記第１の期間中の動きを、前記第１のチャンバ内の前記第１の物体の前記第２の期間中の動きと比較するステップを含む、
請求項１に記載の方法。
【請求項７】
前記第１のチャンバ内の前記第１の物体の動きを前記凝固強度と相関付ける前記ステップは、前記第１の期間と前記第２の期間との間の前記第１の物体の速度の変化率を求め、該速度の変化率を前記凝固強度と相関付けるステップを含む、
請求項６に記載の方法。
【請求項８】
前記第１のチャンバ内の前記第１の物体の動きを前記凝固強度と相関付ける前記ステップは、前記第１のチャンバ内の前記物体の前記第１の期間中の動きと、前記第１のチャンバ内の前記第１の物体の前記第２の期間中の動きとの間の差分の大きさを求め、該大きさを前記凝固強度と相関付けるステップを含む、
請求項６に記載の方法。
【請求項９】
凝固開始を検出するステップをさらに含む、
請求項１に記載の方法。
【請求項１０】
凝固開始を検出する前記ステップは、
前記血液を蓄える前記第１のチャンバ内で前記第１の強磁性物体を動かすステップと、
前記第１のチャンバ内の前記第１の強磁性物体の動きを検出するステップと、
前記検出された動きが所定の閾値未満に減少したかどうかを判定するステップと、
を含み、前記検出された動きが前記所定の閾値未満に減少した場合に凝固開始が検出される、
請求項９に記載の方法。
【請求項１１】
血液凝固を分析するように構成された装置又はシステムによって実行される方法であって、
（ａ）血液を蓄えるチャンバ内で強磁性物体を動かすためにエネルギーを入力するステップと、
（ｂ）前記チャンバ内の前記強磁性物体の動きを検出し、初期物体移動距離又は初期物体移動速度を求めるステップと、
（ｃ）前記検出された前記強磁性物体の動きが、凝固形成を表す所定の強磁性物体移動距離閾値又は強磁性物体移動速度閾値を満たすかどうかを判定するステップと、
（ｄ）前記強磁性物体を前記初期移動距離だけ又は前記初期移動速度で動かすために、ステップ（ａ）と比較して増加したエネルギーを入力するステップと、
（ｅ）前記チャンバ内の前記検出された前記強磁性物体の動きが、凝固を表す前記所定の強磁性物体移動距離閾値又は強磁性物体移動速度閾値を満たすまで、或いは所定のエネルギー閾値が満たされるまで又は超過されるまで、ステップ（ｃ）〜（ｄ）を繰り返すステップと、を含む、
ことを特徴とする方法。
【請求項１２】
（ｆ）ステップ（ｅ）において付与したエネルギーレベルで前記強磁性物体を動かすために又は動かそうと試みるためにエネルギーを付与するステップと、
（ｇ）前記チャンバ内の前記強磁性物体の動きを検出するステップと、
（ｈ）前記検出された前記第１の強磁性物体の動きが、凝固減退を表す所定の強磁性閾値を満たすかどうかを判定するステップと、
（ｉ）前記検出された前記強磁性物体の動きが、凝固減退を表す前記所定の強磁性閾値を満たすまで、ステップ（ｆ）〜（ｈ）を繰り返すステップと、をさらに含む、
請求項１１に記載の方法。
【請求項１３】
（ｊ）前記チャンバ内で前記強磁性物体を動かすために又は動かそうと試みるために、ステップ（ｅ）と比較して減少したエネルギーを入力するステップと、
（ｋ）前記チャンバ内の前記強磁性物体の動きを検出するステップと、
（ｌ）前記検出された前記強磁性物体の動きが前記初期物体移動距離又は初期物体移動速度に戻ったかどうかを判定するステップと、
（ｍ）前記検出された前記強磁性物体の動きが前記初期物体移動距離又は初期物体移動速度に戻っていない場合、前記チャンバ内で前記強磁性物体を動かすために又は動かそうと試みるために、ステップ（ｉ）において入力したものと同じレベルのエネルギーを入力するステップと、
（ｎ）エネルギーが検査初期レベルに減少するまで、ステップ（ｊ）〜（ｍ）を繰り返すステップと、をさらに含む、
請求項１１に記載の方法。
【請求項１４】
血液の凝固を分析するためのシステムであって、請求項１の方法を実行するように構成される、
ことを特徴とするシステム。
【請求項１５】
血液を蓄えるためのチャンバと、
前記チャンバ内に血液が存在する時に該チャンバ内で移動可能な物体と、
前記チャンバ内の前記物体の位置を検出するように構成された検出器と、
前記検出器及び前記物体に動作可能に結合され、前記チャンバ内の前記物体の動きを制御するように構成された電子機器と、
を備え、前記電子機器は、前記検出器から受け取ったデータに基づいて、凝固強度に関連するパラメータを求めるようにさらに構成される、
請求項１４に記載のシステム。
【請求項１６】
命令をプログラムされた非一時的コンピュータ可読媒体であって、前記命令は、実行時にシステムに請求項１の方法を実行させる、
ことを特徴とする非一時的コンピュータ可読媒体。
【請求項１７】
血液凝固を分析するように構成されたシステムによって実行される方法であって、
血液を蓄えるチャンバ内で物体を動かすステップと、
前記チャンバ内の前記物体の第１の期間中の動きを検出し、前記第１のチャンバ内の前記物体の前記第１の期間よりも後の第２の期間中の動きを検出するステップと、
前記検出された前記物体の前記第１の期間中の動きが凝固を示すかどうかを判定するステップと、
前記検出された前記物体の前記第２の期間中の動きが凝固を示すかどうかを判定するステップと、
前記第１の期間と前記第２の期間との間の経過時間を求めるステップと、
前記検出された前記物体の前記第１の期間中の動きが凝固を示すと判定され、かつ前記検出された前記物体の前記第２の期間中の動きが凝固を示さないと判定された場合、前記経過時間の長さに血液凝固強度を相関付けるステップと、を含む、
ことを特徴とする方法。
【請求項１８】
前記検出された前記物体の前記第２の期間中の動きが凝固を示すかどうかを判定するステップは、前記検出された前記物体の前記第２の期間中の動きが、前記検出された前記物体の前記第１の期間中の動きよりも大きいかどうかを判定するステップを含む、
請求項１７に記載の方法。
【請求項１９】
血液の凝固を分析するためのシステムであって、請求項１７の方法を実行するように構成される、
ことを特徴とするシステム。
【請求項２０】
血液を蓄えるためのチャンバと、
前記チャンバ内に血液が存在する時に該チャンバ内で移動可能な物体と、
前記チャンバ内の前記物体の位置を検出するように構成された検出器と、
前記検出器及び前記物体に動作可能に結合され、前記チャンバ内の前記物体の動きを制御するように構成された電子機器と、を備え、
前記電子機器は、前記検出器から受け取ったデータに基づいて、凝固強度に関連するパラメータを求めるようにさらに構成される、
請求項１９に記載のシステム。
【請求項２１】
命令をプログラムされた非一時的コンピュータ可読媒体であって、前記命令は、実行時にシステムに請求項１７の方法を実行させる、
ことを特徴とする非一時的コンピュータ可読媒体。
【請求項２２】
血液凝固を分析するように構成されたシステムによって実行される方法であって、
（ａ）血液を蓄えるチャンバ内で、前記血液が凝固した後の第１の所定の時間内に物体を動かそうと試みるステップと、
（ｂ）前記第１の物体を動かそうと試みた後に、前記チャンバ内の前記物体の動きを検出するステップと、
（ｃ）前記検出された前記物体の動きが所定の閾値を満たし又は超過するかどうかを判定するステップと、
（ｄ）前記検出された前記第１の物体の動きが、ステップ（ｃ）における前記閾値を満たしていない又は超過していないと判定された場合、前記血液を蓄える前記チャンバ内で後続の所定の時点に前記物体を動かそうと試みるステップと、
（ｅ）前記検出された前記物体の動きが前記所定の閾値を満たし又は超過すると判定されるまで、ステップ（ｃ）及び（ｄ）が所定の回数繰り返されるまで、或いは所定の時間長が経過するまで、ステップ（ｃ）及び（ｄ）を繰り返すステップと、
（ｆ）ステップ（ａ）における前記第１の所定の時間から、ステップ（ｃ）又はステップ（ｅ）の条件が満たされるまでの時間長を求めるステップと、
（ｇ）ステップ（ｆ）において求められた前記時間長を前記凝固の強度と相関付けるステップと、を含む、
ことを特徴とする方法。
【請求項２３】
血液の凝固を分析するためのシステムであって、請求項２２の方法を実行するように構成される、
ことを特徴とするシステム。
【請求項２４】
血液を蓄えるためのチャンバと、
前記チャンバ内に血液が存在する時に該チャンバ内で移動可能な物体と、
前記チャンバ内の前記物体の位置を検出するように構成された検出器と、
前記検出器及び前記物体に動作可能に結合され、前記チャンバ内の前記物体の動きを制御するように構成された電子機器と、
を備え、前記電子機器は、前記検出器から受け取ったデータに基づいて、凝固強度に関連するパラメータを求めるようにさらに構成される、
請求項２３に記載のシステム。
【請求項２５】
命令をプログラムされた非一時的コンピュータ可読媒体であって、前記命令は、実行時にシステムに請求項２２の方法を実行させる、
ことを特徴とする非一時的コンピュータ可読媒体。
【請求項２６】
血液凝固を分析するように構成されたシステムによって実行される方法であって、
凝固した血液を蓄えるチャンバ内で物体を動かすために又は動かそうと試みるためにエネルギーを消費するステップと、
前記物体を動かすために又は動かそうと試みるために消費された前記エネルギーの量を検出するステップと、
前記消費されたエネルギーの量を前記血液の凝固強度と相関付けるステップと、を含む、
ことを特徴とする方法。
【請求項２７】
前記チャンバ内の前記物体の動きを検出するステップと、
前記検出された第１の物体の動きを前記血液の前記凝固強度と相関付けるステップと、をさらに含む、
請求項２６に記載の方法。
【請求項２８】
血液を蓄える前記チャンバ内で前記物体を動かすために又は動かそうと試みるためにエネルギーを消費する前記ステップは、前記物体を第１の時点で動かすために又は動かそうと試みるために第１の期間中にエネルギーを消費するステップと、前記物体を第２の時点で動かすために又は動かそうと試みるために第２の期間中にエネルギーを消費するステップとを含み、
前記第１のチャンバ内の前記第１の物体の動きを検出する前記ステップは、前記第１の期間中の動きの速度を検出するステップと、前記第２の期間中の動きの速度を検出するステップとを含み、
前記方法は、前記物体の前記第１の期間中の前記動きの速度が、凝固を示す閾値未満であるかどうかを判定するステップをさらに含み、
前記物体の前記第１の期間中の前記動きの速度が、凝固を示す閾値未満であると判定された場合、前記第２の期間中に消費される前記エネルギーは、前記第１の期間中に消費される前記エネルギーよりも低速で前記物体を動かすように構成される、
請求項２７に記載の方法。
【請求項２９】
血液を蓄える前記チャンバ内で前記物体を動かすために又は動かそうと試みるためにエネルギーを消費する前記ステップは、前記物体を第１の時点で動かすために又は動かそうと試みるために第１の期間中にエネルギーを消費するステップと、前記物体を第２の時点で動かすために又は動かそうと試みるために第２の期間中にエネルギーを消費するステップとを含み、
前記チャンバ内の前記物体の動きを検出する前記ステップは、前記第１の期間中の動きを検出するステップと、前記第２の期間中の動きを検出するステップとを含み、
前記方法は、
前記物体の前記第１の期間中の前記動きが、凝固を示す閾値未満であるかどうかを判定するステップと、
前記物体を動かすために又は動かそうと試みるために前記第２の期間中にエネルギーを消費する前に所定の時間長を経過させるステップと、
前記物体の前記第２の期間中の前記動きが、凝固を示す閾値未満であるかどうかを判定するステップと、をさらに含み、
前記消費されたエネルギー量を前記血液の凝固強度と相関付ける前記ステップは、前記物体の前記第１の期間中及び前記第２の期間中の前記動きが凝固を示す閾値未満である場合、前記第１の期間中に消費されたエネルギーの量を前記第２の期間中に消費されたエネルギーの量と比較するステップを含む、
請求項２６に記載の方法。
【請求項３０】
血液の凝固を分析するためのシステムであって、請求項２９の方法を実行するように構成される、
ことを特徴とするシステム。
【請求項３１】
血液を蓄えるための第１のチャンバと、
前記チャンバ内に血液が存在する時に該チャンバ内で移動可能な第１の物体と、
前記第１の移動可能な物体に動作可能に結合されたエネルギー源と、
前記エネルギー源に動作可能に結合されて、前記第１のチャンバ内の前記第１の物体の動きを制御する電子機器と、
を備え、前記電子機器は、前記エネルギー源の制御に関連するパラメータに基づいて、凝固強度に関連するパラメータを求めるようにさらに構成される、
請求項３０に記載のシステム。
【請求項３２】
命令をプログラムされた非一時的コンピュータ可読媒体であって、前記命令は、実行時にシステムに請求項２９の方法を実行させる、
ことを特徴とする非一時的コンピュータ可読媒体。
【請求項３３】
血液凝固を分析するように構成されたシステムによって実行される方法であって、
（ａ）凝固した血液を蓄えるチャンバ内で物体を動かすように構成されたエネルギーを付与するステップと、
（ｂ）前記エネルギーの付与中又は付与後の前記チャンバ内の前記物体の動きを検出するステップと、
（ｃ）前記検出された前記物体の動きが所定の閾値を満たし又は超過するかどうかを判定するステップと、
（ｄ）前記検出された前記物体の動きがステップ（ｃ）の前記閾値を満たしていない又は超過していないと判定された場合、前記物体を動かすように構成された追加エネルギーを付与するステップと、
（ｅ）前記検出された前記物体の動きが所定の閾値を満たし又は超過すると判定されるまで、或いは所定のエネルギー閾値が満たされ又は超過されるまで、ステップ（ｃ）及び（ｄ）を繰り返すステップと、
（ｆ）前記物体を動かすために又は動かそうと試みるために付与される前記エネルギーの量を前記凝固の強度と相関付けるステップと、
を含むことを特徴とする方法。
【請求項３４】
血液の凝固を分析するためのシステムであって、請求項３３の方法を実行するように構成される、
ことを特徴とするシステム。
【請求項３５】
血液を蓄えるための第１のチャンバと、
前記チャンバ内に血液が存在する時に該チャンバ内で移動可能な第１の物体と、
前記第１の移動可能な物体に動作可能に結合されたエネルギー源と、
前記エネルギー源に動作可能に結合されて、前記第１のチャンバ内の前記第１の物体の動きを制御する電子機器と、
を備え、前記電子機器は、前記エネルギー源の制御に関連するパラメータに基づいて、凝固強度に関連するパラメータを求めるようにさらに構成される、
請求項３４に記載のシステム。
【請求項３６】
命令をプログラムされた非一時的コンピュータ可読媒体であって、前記命令は、実行時にシステムに請求項３２の方法を実行させる、
ことを特徴とする非一時的コンピュータ可読媒体。